(57)【要約】【課題】  建物自体の震動を避けられない場合でも、震動による屋根や建物自体の損傷がなく、しかも、左右に隣接するパネル間から侵入水があっても水下側に確実に排水して雨仕舞が良好である屋根パネルを用いた外装構造を提供すること。【解決手段】  鉄骨躯体１上に取付部材２を経て屋根パネル１１を敷設する外装構造において、取付部材２は、躯体１に取り付け可能な固定部材３と、上部４ａおよび側壁４ｂならびに底部４ｃからなると共に流れ方向に連続して且つ上面が開口した排水縦空間４ｊを持ちながら屋根パネル１１を保持可能な支持部材４を有し、躯体１上に固定部材３を配設してビス止め以外の適宜締着手段で取り付け固定し、この固定部材３に支持部材４を適宜組み止め手段により一体的に組み付け、流れ方向に平行状の支持部材４間に屋根パネル１１を同パネルの側面端部１１ａが支持部材４の排水縦空間４ｊに臨むようにして配置し、屋根パネル１１の側面端部１１ａを支持部材４に保持する。【選択図】  図３
2005213919.tif 000002
【特許請求の範囲】
【請求項１】
鉄骨躯体上に取付部材を経て屋根パネルを敷設する外装構造において、
取付部材は、躯体に取り付け可能な固定部材と、上部および側壁ならびに底部からなると共に流れ方向に連続して且つ上面が開口した排水縦空間を持ちながら屋根パネルを保持可能な支持部材を有し、
躯体上に固定部材を配設してビス止め以外の適宜締着手段で取り付け固定し、
この固定部材に支持部材を適宜組み止め手段により一体的に組み付け、
流れ方向に平行状の支持部材間に屋根パネルを同パネルの側面端部が支持部材の排水縦空間に臨むようにして配置し、屋根パネルの前記側面端部を支持部材に保持することを特徴とする屋根パネルを用いた外装構造。
【請求項２】
屋根パネルの流れ方向端部裏面に、上面が開口した排水横空間の端部が支持部材の排水縦空間に臨む排水部材を配したことを特徴とする請求項１記載の屋根パネルを用いた外装構造。
【請求項３】
固定部材に支持部材が、嵌合・係止状の適宜組み止め手段により一体的に組み付けられていることを特徴とする請求項１または２記載の屋根パネルを用いた外装構造。
【請求項４】
屋根パネルは、取付部材における上側の化粧部材と下側の支持部材によって防水兼弾性部材を経て挟着状に保持されていることを特徴する請求項１〜３のいずれか1項記載の屋根パネルを用いた外装構造。
【発明の詳細な説明】
【技術分野】
【０００１】
本発明は各種の屋根パネルを用いた屋根構造に関する。
【背景技術】
【０００２】
屋根パネルの取り付けは、特許文献1に記載されているように、概ね流れ方向に支持部材を固定し、その支持部材にパネルを固定している。
しかし、従来の方法は、支持部材のフランジ等をビスで下地（躯体）に固定しているため、地震や強風等による建物自体の震動によってビスが緩む恐れがあり、その結果、下地に対して支持部材ががたついて遊び動いて屋根と建物自体との間にずれが発生することになり、屋根や建物自体が痛む原因となっている。また、パネル等の取り付けもビス等で行っているため、同様の問題が生じている。
特に、パネルが重量物であるほど、前記した問題が顕著になる恐れがある。
【特許文献１】特開平１１−１３２２４号公報
【発明の開示】
【発明が解決しようとする課題】
【０００３】
解決しようとする課題は、第１には、建物自体の震動を避けられない場合でも、震動による屋根や建物自体の損傷がなく、しかも、左右に隣接するパネル間から侵入水があっても水下側に確実に排水して雨仕舞が良好である屋根パネルを用いた外装構造を、第２には、さらに、流れ方向に隣接するパネル間から浸入水があっても水下側に確実に排水して雨仕舞が良好である屋根パネルを用いた外装構造を、第３には、さらに、固定部材に対する支持部材の組み付けを簡単且つ迅速に行なえる屋根パネルを用いた外装構造を、第４には、さらに、屋根パネルと支持部材との間で震動を吸収可能である屋根パネルを用いた外装構造を提供することにある。
【課題を解決するための手段】
【０００４】
本発明は前記した課題を達成するため、以下の構成にしたことを特徴とする。
１．鉄骨躯体上に取付部材を経て屋根パネルを敷設する外装構造において、取付部材は、躯体に取り付け可能な固定部材と、上部および側壁ならびに底部からなると共に流れ方向に連続して且つ上面が開口した排水縦空間を持ちながら屋根パネルを保持可能な支持部材を有し、躯体上に固定部材を配設してビス止め以外の適宜締着手段で取り付け固定し、この固定部材に支持部材を適宜組み止め手段により一体的に組み付け、流れ方向に平行状の支持部材間に屋根パネルを同パネルの側面端部が支持部材の排水縦空間に臨むようにして配置し、屋根パネルの前記側面端部を支持部材に保持することを特徴とする。
躯体はＣ型鋼やＨ型鋼からなる鉄骨等である。この躯体に取付部材を経て敷設される屋根パネルは、主に太陽電池パネル、温水等の熱交換パネル、採光パネル等であるが、これに限定されるものではなく、通常の屋根パネルと称されているものでもよいし、これらの各パネル単独での使用或いは組み合わせによる使用であってもよい。
取付部材は、固定部材と支持部材を有する態様、或いは、固定部材と支持部材と化粧部材を有する態様等になる。
固定部材は、躯体上にビス止め以外の適宜締着手段によって取り付け固定可能な態様のものであればよく、この締着手段としては、ボルト等の締着部を締め付けることにより固定具が躯体に取り付けられることで、固定部材を躯体に固定可能な態様であってもよいし、或いは、ボルト等の締着部を締め付けることにより固定具が躯体に取り付けられ且つ固定部材の掛け止め部が躯体に掛止することで、固定部材をボルト軸線回りに回転しないように回り止めして固定可能な態様のものでもよい。
そして、固定部材上には支持部材を適宜組み止め手段により組み付け可能であればよく、この組み止め手段は、固定部材の一部に同一体に形成してある態様のものであってもよいし、固定部材の一部に設けた別体のもので形成してある態様であってもよい。さらに、この組み止め手段は、弾性部材を採用しない構成のものでもよいし、また、弾性部材等を併用して弾性的に組み付け可能な構造の組み止め手段であるものが望ましい。この組み止め手段は、支持部材の被係止部に固定部材の係止片部を係止して組み付ける組み止め手段、或いは、固定部材の被嵌合部に支持部材の嵌合部を嵌合し、支持部材の被係止部に固定部材の係止片を係止して組み付ける組み止め手段等であってもよい。
支持部材は、流れ方向に長尺の通し材で、上部および側壁ならびに底部からなると共に流れ方向に連続して且つ上面が開口した排水縦空間を持ちながら屋根パネルを保持可能な態様のものであればよく、同一体構造のものであってもよいし、合体可能な上下の支持部材或いは左右の支持部材からなる分割構造のものであってもよい。この支持部材は、断面略ハット型等のように、左右底部に排水縦空間部をそれぞれ有する態様のものであってもよいし、或いは、上部に化粧部材取り付け用のボルト等の適宜締着手段が取り付く部分を有すると共に左右底部に排水縦空間部をそれぞれ有する態様のものであってもよい。また、支持部材における屋根パネルの側面端部を保持する保持部は、側壁に形成される凹部状、或いは、上下の支持部材の側壁に跨るように形成される凹部状、若しくは、支持部材と化粧部材間に形成される凹部状や空間部状のもの等になる。
２．前記した１において、屋根パネルの流れ方向端部裏面に、上面が開口した排水横空間の端部が支持部材の排水縦空間に臨む排水部材を配したことを特徴とする。
排水部材は、支持部材に受支される態様のものであってもよいし、支持部材の受部にビス等で止着される態様のものであってもよい。
３．前記した１または２において、固定部材に支持部材が、嵌合・係止状の適宜組み止め手段により一体的に組み付けられていることを特徴とする。
４．前記した１〜３のいずれかにおいて、屋根パネルは、取付部材における上側の化粧部材と下側の支持部材によって防水兼弾性部材を経て挟着状に保持されていることを特徴する。
防水兼弾性部材は、パネルの側面端部と部材間の一部或いは全部に配設されていればよく、防水および震動を両者間で断ち得る構造関係になっていればよい。
【発明の効果】
【０００５】
Ａ．請求項１により、躯体に固定される固定部材に、屋根パネルを保持する支持部材を適宜組み止め手段により一体的に組み付けることで、屋根や建物自体の損傷の要因になるビスを除いてあるため、建物自体の震動を避けられない場合でも、震動による屋根や建物自体の損傷が軽微で済み、しかも、左右に隣接するパネル間から侵入水があっても水下側に確実に排水することができるので雨仕舞が良好である。
Ｂ．請求項２により、さらに、流れ方向に隣接するパネル間から浸入水があっても、排水横空間から排水縦空間を経て水下側に確実に排水できて雨仕舞が良好である。
Ｃ．請求項３により、さらに、固定部材に対する支持部材の組み付けを簡単且つ迅速に行なうことができる。
Ｄ．請求項４により、さらに、屋根パネルと支持部材との間で震動を吸収できるので、震動による屋根パネルの損傷がなく、強い震動にも十分に耐えられ、しかも防水能力が高い。したがって、強震動対策を求められる外装構造として好適である。
【発明を実施するための最良の形態】
【０００６】
図１乃至図４には本発明の屋根パネルを用いた外装構造における実施の１形態として、太陽電池パネルを用いた外装構造を例示している。
躯体１のＣ型鋼製鉄骨１ａ上には取付部材２が太陽電池パネル１１の左右配置間隔毎に流れ方向に平行状に水上側から水下側へ配設されている。
取付部材２は、固定部材３と支持部材４と化粧部材５を有しており、固定部材３は、左右対称形のピース材で、断面略冠状の押え板部３ａ中央に長孔状の通孔３ｂをボルト６が貫通可能に開口している。押え板部３ａ左右側縁の垂下部３ｃ下縁から支持板部３ｄを外向き水平状にそれぞれ延設すると共に、左右の支持板部３ｄ側縁に起立部３ｅおよび係止片部３ｈを垂下部３ｃと対向状に立設することで、これらの垂下部３ｃと支持板部３ｄと起立部３ｅとからなる凹部状の被嵌合部３ｆを形成し、この被嵌合部３ｆに支持部材４の嵌合部４ｈが嵌合可能に形成してある。そして、左右の支持板部３ｄ側縁の係止片部３ｈは内側に折り返し可能に立設しており、この係止片部３ｈは内側に折り曲げて支持部材４の被係止部４ｊ上に折り返すことで被係止部４Ｊを挾着状に係止して、支持部材４における嵌合部４ｈを被嵌合部３ｆ内に嵌合状態に組み止め可能に形成してある。また、左右の支持板部３ｄには、側縁の一部から折り下げた掛け止め部３ｉを鉄骨１ａにそれぞれ掛止可能に形成してある。
また、押え板部３ａの前後側縁には略台形状の補強板部３ｋをそれぞれ立設し、この補強板部３ｋにおける左右側縁の顎状被係合部３ｍは、支持部材４の係合部４ｇと係合することで、支持部材４における嵌合部４ｈを被嵌合部３ｆ内に嵌合状態に組み止め可能に形成してある。
また、被嵌合部３ｆ表面にはゴム等の弾性部材９を被覆してあり、この被嵌合部３ｆに支持部材４の嵌合部４ｈが弾性部材９を経て嵌合状態に組み止めされるように形成してある。
【０００７】
かかる固定部材３は、略Ｃ字形固定具８を経て鉄骨１ａに取り付け固定される。この略Ｃ字形固定具８は、ネジ孔８ｂに螺合したボルト６が締め付けられて、同ボルト６下端と先端部８ａ間に鉄骨１ａの上面部１ｂを挾着していることで、鉄骨１ａ上に取り付け固定されている。
固定部材３は、通孔３ｂに貫通しているボルト６の貫通部分にナット７が螺合されて締め付けられて、支持板部３ｄが上面部１ｂに密着していることにより、鉄骨１ａ上に取り付け固定されている。そして、左右の掛け止め部３ｉが鉄骨１ａの側面部１ｃに当接状に掛止していることにより、ボルト軸線回りに動かぬように回り止め（右回りおよび左回り）されている。また、図示していないが、一方或いは双方の掛け止め部３ｉの下縁部３ｊを上側に折り返して鉄骨１ａの側面部１ｃに挾着状に係止せしめることで回り止めが強化され、同時に、鉄骨１ａに対する固定部材３の取り付け強度が向上されることになる。この場合、掛け止め部３ｉは左右いずれか一方でも同様の働きが得られるものであり、双方であれば倍の回り止め強度および固定強度が得られる。
そして、固定部材３における左右の被嵌合部３ｆには、支持部材４の左右の嵌合部４ｈがそれぞれ弾性部材９を経て嵌合されていると共に、係止片部３ｈが内側に折り曲げられて支持部材４の被係止部４ｋに係止して組み止めしていることにより、この固定部材３を組み止め媒体として、支持部材４は躯体１側に弾性的且つ一体的に固定されている。
【０００８】
支持部材４は、左右対称形の断面略ハット型の通し材で、上部４ａおよび左右の側壁４ｂならびに左右の底部４ｃからなり、上部４ａ中央には開口幅が狭い凹溝部４ｄを、この凹溝部４ｄの左右には溝部４ｅを、それぞれ並行状に凹設してある。左右の側壁４ｂ外面上側の凹部４ｆは化粧部材５とで太陽電池パネル１１の側面端部１１ａを保持可能に形成してあり、側壁４ｂ内面途中の係合部４ｇは固定部材３の顎状被係合部３ｍと係合可能に突設してある。この係合部４ｇと顎状被係合部３ｍとの係合関係は、嵌合部４ｈが被嵌合部３ｆに嵌合した状態で係合関係にある一方で、左右の側壁４ｂを左右に広げることで解除可能にしてある。
そして、左右の底部４ｃは嵌合部４ｈとして固定部材３の被嵌合部３ｆに嵌合可能に形成してある。この左右の底部４ｃには立ち上げ部４ｉをそれぞれ立設することで、この立ち上げ部４ｉと底部４ｃと側壁４ｂによる流れ方向に連続して且つ上面が開口した排水縦空間４ｊを形成している。また、左右の底部４ｃにおける立ち上げ部４ｉから外側部分は被係止部４ｋとして形成してあり、この被係止部４ｋに固定部材３の係止片部３ｈが係止可能にしてある。
左右の立ち上げ部４ｉ上縁近くから排水縦空間４ｊ内に突出状の受部４ｍは、排水部材１０をビス止め可能に形成してある。
【０００９】
かくして支持部材４は、左右の嵌合部４ｈが固定部材３における左右の被嵌合部３ｆにそれぞれ嵌合され、且つ、係合部４ｇが顎状被係合部３ｍと係合していることで、弾性的に嵌合状態に保たれている。そして、係止片部３ｈが内側に折り曲げられて、支持部材４の被係止部４ｋに係止されていることにより、支持部材４は固定部材３を組み止め媒体として躯体１側に一体的に固定されている。
また、支持部材４の左右の凹部４ｆには化粧部材５との間に左右の太陽電池パネル１１の側面端部１１ａがそれぞれ保持され、受部４ｍには排水部材１０がビス止めされて、この排水部材１０左右端の垂下片１０ｄが排水縦空間４ｊ内へ臨み出ている。
【００１０】
排水部材１０は、左右に隣り合う支持部材４の間隔よりも若干短い長さの定尺状のもので、底面部１０ａと、この底面部１０ａから立上る前後の側壁面部１０ｂとで上面が開口した排水横空間１０ｃを長手方向に形成してあり、排水横空間１０ｃの左右端部には、底面部１０ａおよび側壁面部１０ｂ端から突出状の垂下片１０ｄをそれぞれ形成している。この排水部材１０は、左右の支持部材４の排水縦空間４ｊ上に跨るように、端部を受部４ｍにビス１２で止着されていると共に、垂下片１０ｄが側壁４ｂと面接触することなく間隔を保つことで侵入水の排水縦空間４ｊへの流れをよくして、毛細管による雨水の鉄骨１ａ側への浸水現象が発生しないようにしている。
排水部材１０内のジョイント部材１３は、左右に隣り合う支持部材４の間隔と同長さの定尺状のもので、左右に隣り合う支持部材４間に渡り配設されていると共に、太陽電池パネル１１の上下配置間隔毎に上下平行状に配設されている。そして、ジョイント部材１３における前後の凹部１３ａには継ぎ部材１４との間に前後の太陽電池パネル１１の側面端部１１ａがそれぞれ保持されている。
【００１１】
太陽電池パネル１１は、太陽電池１１ｂと、太陽電池１１ｂの周縁に囲設してあるフレーム材１１ｃからなり、この太陽電池パネル１１は、左右に隣接する支持部材４間と上下に隣り合うジョイント部材１３間の凹部４ｆ、１３ａで囲まれた取付空間１５に配設してある。
太陽電池パネル１１は、左右の側面フレーム材１１ｃ１外面中程から外側へ水平状に延出しているフランジ部１１ｃ２を支持部材４の上部４ａ上面と化粧部材５との間にそれぞれパッキング等の防水兼弾性部材１６、１７を介在させて挟着することで、防水処理および震動吸収すると共に抜止してある。また、水上面フレーム材１１ｃ３外面中程から外側へ水平状に延出しているフランジ部１１ｃ４と、水下面フレーム材１１ｃ５外面中程から外側へ水平状に延出しているフランジ部１１ｃ６をジョイント部材１３の上面部１３ｂ上面と継ぎ部材１４との間にそれぞれパッキング等の防水兼弾性部材１８、１９を介在させて挟着することで、防水処理および震動吸収すると共に抜止してある。
【００１２】
化粧部材５は、左右に隣り合う太陽電池パネル１１における双方の側面フレーム材１１ｃ１に跨って且つ太陽電池パネル１１の左右間隙を覆い得る幅比の通し材で、裏面中央から垂設してある左右のストッパー部５ａは支持部材４の上部４ａに当接されていて、溝部４ｅに下部を止着された防水兼弾性部材１６および化粧部材５裏面の防水兼弾性部材１７をそれぞれ適正に押圧することで防水能力を高め、振動を吸収し得るようにしてある。
この化粧部材５には、支持部材４の上部４ａの凹溝部４ｄに係止されて起立状のボルト２０が貫通しており、このボルト２０の貫通部分に螺着されているナット２１を締め付けることで、凹部４ｆに側面フレーム材１１ｃ１を保持し、左右に隣り合う太陽電池パネル１１間を覆設している。
【００１３】
上下の太陽電池パネル１１間に配設している継ぎ部材１４は、幅が上下の太陽電池パネル１１における隣り合う水上面フレーム材１１ｃ３と水下面フレーム材１１ｃ５との間隙と同幅で、長さが水上面フレーム材１１ｃ３および水下面フレーム材１１ｃ５と同長さである定尺状のもので、この継ぎ部材１４には、ジョイント部材１３の上部１３ｂの凹溝部１３ｃに係止されて起立状のボルト２２が貫通しており、このボルト２２の貫通部分に螺着されているナット２３を締め付けることで、前後の凹部１３ａに水上面フレーム材１１ｃ３とおよび水下面フレーム材１１ｃ５をそれぞれ保持し、上下に隣り合う太陽電池パネル１１間の間隙を閉じると共に、同パネル上面を面一状に整えている。
【００１４】
これにより、支持部材４の被係止部４ｋを固定部材３の係止片部３ｈで係止して組み止めしてあることによって、震動によるガタツキが発生せず、また、震動は弾性部材９および防水兼弾性部材１６〜１９に吸収され、震動による太陽電池パネル１１、躯体１自体の損傷が軽微で済む。
そして、雨水の大半は、太陽電池パネル１１表面、継ぎ部材１４表面、化粧部材５表面を伝い流れて軒から流れ落ちるが、一部の雨水は防水兼弾性部材１６〜１９の劣化や暴風時に、継ぎ部材１４と水上面フレーム材１１ｃ３および水下面フレーム材１１ｃ５との接触面、さらに化粧部材５と側面フレーム材１１ｃ１との接触面に侵入することも有りえる。
この場合でも、継ぎ部材１４と水上面フレーム材１１ｃ３および水下面フレーム材１１ｃ５との接触面への侵入水は、フランジ部１１ｃ４、１１ｃ６を回り込んで水上面フレーム材１１ｃ３下縁および水下面フレーム材１１ｃ５下縁から排水横空間１０ｃ内に流れ落ちた後、同空間１０ｃ端の垂下片１０ｄを伝って排水縦空間４ｊへ流れ落ちる。また、化粧部材５と側面フレーム材１１ｃ１との接触面への侵入水は、化粧部材５と側面フレーム材１１ｃ１との接触面からフランジ部１１ｃ２を回り込んで同フレーム材１１ｃ１下縁から排水縦空間４ｊ内へ流れ込み、排水横空間１０ｃからの侵入水ともども同空間４ｊに導かれて軒側へ流れることになる。
【図面の簡単な説明】
【００１５】
【図１】本発明の屋根パネルを用いた外装構造における実施の１形態として、太陽電池パネルを用いた外装構造を例示している平面図。
【図２】部分拡大平面図。
【図３】図２の（３）−（３）拡大縦断面図。
【図４】図２の（４）−（４）拡大縦断面図。
【図５】分解斜視図。
【符号の説明】
【００１６】
１  躯体
１ａ  鉄骨
１ｂ  上面部
１ｃ  側面部
２  取付部材
３  固定部材
４  支持部材
３ａ  押え板部
３ｂ  通孔
３ｃ  垂下部
３ｄ  支持板部
３ｅ  起立部
３ｆ  被嵌合部
３ｈ  係止片部
３ｉ  掛け止め部
３ｊ  下縁部
３ｋ  補強板部
３ｍ  顎状被係合部
４  支持部材
４ｇ  係合部
４ｈ  嵌合部
４ｋ  被係止部
４ａ  上部
４ｂ  側壁
４ｃ  底部
４ｄ  凹溝部
４ｅ  溝部
４ｆ  凹部
４ｇ  係合部
４ｈ  嵌合部
４ｉ  立ち上げ部
４ｊ  排水縦空間
４ｋ  被係止部
４ｍ  受部
５  化粧部材
５ａ  ストッパー部
６  ボルト
７  ナット
８  固定具
８ａ  先端部
８ｂ  ネジ孔
９  弾性部材
１０  排水部材
１０ａ  底面部
１０ｂ  側壁面部
１０ｃ  排水横空間
１０ｄ  垂下片
１１  太陽電池パネル（屋根パネル）
１１ａ  側面端部
１１ｂ  太陽電池
１１ｃ  フレーム材
１１ｃ１  側面フレーム材
１１ｃ２  フランジ部
１１ｃ３  水上面フレーム材
１１ｃ４  フランジ部
１１ｃ５  水下面フレーム材
１１ｃ６  フランジ部
１２  ビス
１３  ジョイント部材
１３ａ  凹部
１３ｂ  上部
１３ｃ  凹溝部１３ｃ
１４  継ぎ部材
１５  取付空間
１６〜１９  防水兼弾性部材
２０、２２  ボルト
２１、２３  ナット
【図１】
2005213919.tif 000003
【図２】
2005213919.tif 000004
【図３】
2005213919.tif 000005
【図４】
2005213919.tif 000006
【図５】
2005213919.tif 000007